(57)【要約】      （修正有）【課題】レンズ鏡筒の小径化及び薄型化を実現しつつ、バリア羽根が被写体側から外力を受けた際にも必要な強度を得ることができるようにして高い信頼性を確保する仕組みを提供する。【解決手段】複数のバリア羽根３〜５は、被写体側に配置される被写体側バリア羽根５と、被写体側バリア羽根の光軸方向の像面側に前記被写体側バリア羽根に重ねて配置される像面側バリア羽根４と、を備え、被写体側バリア羽根５の先端側には、複数のバリア羽根３〜５の前記閉位置から前記開位置に至る回動範囲のうち、少なくとも被写体側からの外力で像面側バリア羽根の先端が光軸方向に移動する回動範囲にて、像面側バリア羽根４の切欠き部４ｂに対して光軸方向に係合して像面側バリア羽根４の光軸方向像面側への移動を規制する脱落規制部５ｃ２が設けられる。【選択図】図１３
2015203838.tif 000002
【特許請求の範囲】
【請求項１】
開口部を介して被写体光束が入射する撮影光学系と、前記開口部を開く開位置と前記開口部を閉じる閉位置との間で基端側の回動軸を中心に回動可能に設けられる一対の複数のバリア羽根とを有するレンズ鏡筒であって、
前記複数のバリア羽根は、被写体側に配置される被写体側バリア羽根と、前記被写体側バリア羽根の光軸方向の像面側に前記被写体側バリア羽根に重ねて配置される像面側バリア羽根と、を備え、
前記被写体側バリア羽根の先端側には、前記複数のバリア羽根の前記閉位置から前記開位置に至る回動範囲のうち、少なくとも被写体側からの外力で像面側バリア羽根の先端が光軸方向に移動する回動範囲にて、前記像面側バリア羽根に対して光軸方向に係合して前記像面側バリア羽根の光軸方向像面側への移動を規制する脱落規制部が設けられることを特徴とするレンズ鏡筒。
【請求項２】
前記脱落規制部は、前記複数のバリア羽根の前記閉位置から前記開位置に至る回動範囲のうち、少なくとも閉位置から５０％の範囲にて、前記像面側バリア羽根に対して光軸方向に係合することを特徴とする請求項１に記載のレンズ鏡筒。
【請求項３】
前記脱落規制部は、前記被写体側バリア羽根の先端側の開閉方向の外周部で像面側に曲げられた折り曲げ部に連続して設けられることを特徴とする請求項１又は２に記載のレンズ鏡筒。
【請求項４】
前記脱落規制部は、前記複数のバリア羽根のうち、前記被写体側バリア羽根及び前記像面側バリア羽根を除くバリア羽根の先端部の回動半径より外側に配置されることを特徴とする請求項１乃至３のいずれか一項に記載のレンズ鏡筒。
【請求項５】
レンズ鏡筒を備える光学機器であって、
前記レンズ鏡筒として、請求項１乃至４のいずれか一項に記載のレンズ鏡筒を備えることを特徴とする光学機器。
【発明の詳細な説明】
【技術分野】
【０００１】
本発明は、バリア機構が搭載されるレンズ鏡筒、及びレンズ鏡筒を備える例えばデジタルカメラ等の光学機器に関する。
【背景技術】
【０００２】
デジタルカメラ等の光学機器では、バリアカバーの開口部を介して被写体側に露出するレンズを複数のバリア羽根により開閉可能に覆うバリア機構をレンズ鏡筒に搭載したものがある。また、カメラの小型化に伴うレンズ鏡筒の小径化の要請により、複数のバリア羽根の開状態での収納面積を小さくするため、開状態で複数のバリア羽根を光軸方向に重ねて開口部の外側位置に収納することが行われている。
【０００３】
ところで、ユーザが故意にバリア羽根を手で開方向に動かした場合や、バリア羽根に衝撃が加わった場合等には、バリア羽根が所定の位置から動いてしまう。この場合、バリアカバーの開口部は、略長方形で対角で最も長さが長くなるため、バリア羽根とバリアカバーとの重なり量が殆どない状態になる。このようにバリア羽根とバリアカバーとの重なり量が殆どない状態では、部品の僅かな変形によってバリア羽根が開口部から被写体側へ飛び出したり、あるいはレンズ鏡筒内へ落ち込んだりする場合がある。
【０００４】
そこで、第３のバリア羽根の先端部にコ字状のフック部を設け、第３のバリア羽根が開閉方向に従動する第１のバリア羽根に、コ字状フック部に対して開閉方向に挿入／当接可能な切欠き部を設けた技術が提案されている（特許文献１）。
【０００５】
この提案では、複数のバリア羽根が開方向に移動する際に、第１のバリア羽根の切欠き部が第３のバリア羽根のコ字状フック部の内側に当接するようにガイドされる。また、閉状態においては、切欠き部とコ字状フック部とが光軸方向に重なった状態で当接状態が維持され、これにより、例えばユーザによってバリア羽根が押される等、被写体側から外力を受けた際にも必要な強度が確保されるようになっている。
【先行技術文献】
【特許文献】
【０００６】
【特許文献１】特開２０１２−０４２６８３号公報
【発明の開示】
【発明が解決しようとする課題】
【０００７】
しかし、上記特許文献１では、複数のバリア羽根の開閉途中で切欠き部がコ字状フック部から離れて、切欠き部とコ字状フック部とが光軸方向で重ならない状態では、切欠き部が光軸方向へ移動するのをコ字状フック部で規制できなくなる。そのため、ユーザによって被写体側から強制的な外力が加わると、第１のバリア羽根３と第３のバリア羽根とが撓んで、各バリア羽根間の光軸方向の隙間が広がってしまい、切欠き部がコ字状フック部から閉方向に外れてしまうという問題がある。
【０００８】
この場合、各バリア羽根の厚みを増すことで、外力による各バリア羽根の撓みを抑制して、切欠き部がコ字状フック部から外れるのを防止することが可能となるが、各バリア羽根の厚みを増すと、レンズ鏡筒の光軸方向の薄型化を妨げる原因になる。
【０００９】
そこで、本発明は、レンズ鏡筒の小径化及び薄型化を実現しつつ、バリア羽根が被写体側から外力を受けた際にも必要な強度を得ることができるようにして高い信頼性を確保することができる仕組みを提供することを目的とする。
【課題を解決するための手段】
【００１０】
上記目的を達成するために、本発明は、開口部を介して被写体光束が入射する撮影光学系と、前記開口部を開く開位置と前記開口部を閉じる閉位置との間で基端側の回動軸を中心に回動可能に設けられる一対の複数のバリア羽根とを有するレンズ鏡筒であって、前記複数のバリア羽根は、被写体側に配置される被写体側バリア羽根と、前記被写体側バリア羽根の光軸方向の像面側に前記被写体側バリア羽根に重ねて配置される像面側バリア羽根と、を備え、前記被写体側バリア羽根の先端側には、前記複数のバリア羽根の前記閉位置から前記開位置に至る回動範囲のうち、少なくとも被写体側からの外力で像面側バリア羽根の先端が光軸方向に移動する回動範囲にて、前記像面側バリア羽根に対して光軸方向に係合して前記像面側バリア羽根の光軸方向像面側への移動を規制する脱落規制部が設けられることを特徴とする。
【発明の効果】
【００１１】
本発明によれば、レンズ鏡筒の小径化及び薄型化を実現しつつ、バリア羽根が被写体側から外力を受けた際にも必要な強度を得ることができるようにして高い信頼性を確保することができる。
【図面の簡単な説明】
【００１２】
【図１】本発明の第１の実施形態であるレンズ鏡筒を備える光学機器の一例としてのデジタルカメラを正面側（被写体側）から見た斜視図である。
【図２】レンズ鏡筒のバリア機構及び１群レンズ保持枠の周辺の部材の分解斜視図である。
【図３】バリア駆動リングを被写体側から見た斜視図である。
【図４】バリア保持枠の斜視図である。
【図５】（ａ）は第１のバリア羽根の閉状態を光軸方向の被写体側から見た図、（ｂ）は第１のバリア羽根の開状態を光軸方向の被写体側から見た図である。
【図６】（ａ）はバリア羽根の閉状態を光軸方向の像面側から見た図、（ｂ）はバリア羽根の開状態を光軸方向の像面側から見た図である。
【図７】バリア羽根の閉状態において、ユーザにより一対のバリア羽根のうちの一方のバリア羽根が手動で強制的に開位置に回動させられた状態を光軸方向の像面側から見た図である。
【図８】（ａ）、（ｂ）及び（ｃ）は、それぞれ図６（ａ）、図６（ｂ）及び図７の部分拡大図である。
【図９】図８（ｃ）の斜視図である。
【図１０】（ａ）は通常状態の第２のバリア羽根と第３のバリア羽根との位置関係を示す図、（ｂ）は第３のバリア羽根の光軸方向の位置がずれた場合の第２のバリア羽根と第３のバリア羽根との位置関係を示す図である。
【図１１】（ａ）は第３のバリア羽根の脱落規制部に第２の折り曲げ部を設けていない場合の斜視図、（ｂ）は第３のバリア羽根の脱落規制部の第１の折り曲げ部が脱落規制部を乗り越えた状態を示す斜視図である。
【図１２】第２のバリア羽根の脱落規制部の変形例を示す斜視図である。
【図１３】（ａ）は複数のバリア羽根の閉状態での各先端部を像面側から見た斜視図、（ｂ）は複数のバリア羽根の開状態での各先端部を像面側から見た斜視図である。
【図１４】複数のバリア羽根の開状態を光軸方向の像面側から見た図である。
【図１５】本発明の第２の実施形態において、複数のバリア羽根の閉状態を被写体側から見た斜視図である。
【図１６】複数のバリア羽根の閉状態を光軸方向の像面側から見た図である。
【図１７】複数のバリア羽根の閉状態を光軸と直交する方向から見た側面図である。
【図１８】第２のバリア羽根、及び第３のバリア羽根を像面側から見た斜視図である。
【図１９】（ａ）は第２のバリア羽根、及び第３のバリア羽根の閉状態を光軸方向の像面側から見た図、（ｂ）は第２のバリア羽根、及び第３のバリア羽根の開状態を光軸方向の像面側から見た図である。
【図２０】（ａ）は複数のバリア羽根の閉状態を像面側から見た斜視図、（ｂ）は複数のバリア羽根の開状態を像面側から見た斜視図である。
【発明を実施するための形態】
【００１３】
以下、図面を参照して、本発明の実施形態を説明する。
【００１４】
（第１の実施形態）
図１は、本発明の第１の実施形態であるレンズ鏡筒を備える光学機器の一例としてのデジタルカメラを正面側（被写体側）から見た斜視図である。
【００１５】
図１に示すように、本実施形態のデジタルカメラ１００は、カメラ本体１０１の正面側に、レンズ鏡筒１１０及びストロボ発光窓１０４等が設けられる。また、カメラ本体１０１の上面部には、電源ボタン１０２、レリーズボタン１０３及びズームレバー１０７等が設けられる。カメラ本体１０１の内部には、レンズ鏡筒１１０の撮影光学系を通過した被写体像を光電変換するＣＣＤセンサやＣＭＯＳセンサ等の撮像素子が搭載されている。
【００１６】
図２は、レンズ鏡筒１１０のバリア機構及び１群レンズ保持枠８の周辺の部材の分解斜視図である。
【００１７】
図２に示すように、レンズ鏡筒１１０は、バリア保持枠１、第１レンズ保持枠８、カム筒１０、バリア駆動リング２、複数のバリア羽根３〜５、付勢部材６、及びバリアカバー７を備える。
【００１８】
バリア保持枠１の内周側には、第１レンズ９を保持する第１レンズ保持枠８が設けられる。第１レンズ保持枠８の内周側には、カム筒１０が設けられる。第１レンズ保持枠８の像面側の端部外周部には、フォロアピン１１が設けられ、フォロアピン１１は、カム筒１０に形成されたカム溝１０ａに係合する。
【００１９】
また、バリア保持枠１の像面側の端部外周部には、フォロアピン１２が設けられ、フォロアピン１２は、カム筒１０に形成されたカム溝１０ｂに係合する。カム筒１０の被写体側の端部には、バリア駆動リング２の後述するフォロアアーム２ａ（図３参照）が当接するカム壁１０ｃが設けられる。
【００２０】
不図示のズームモータによりカム筒１０が回転駆動されることで、フォロアピン１１，１２がカム溝１０ａ，１０ｂに追従して第１レンズ保持枠８、及びバリア保持枠１がカム筒１０に対して相対的に光軸方向に移動する。これにより、レンズ鏡筒１１０の繰り出し動作及び繰り込み動作が行われる。
【００２１】
複数のバリア羽根３〜５は、樹脂製の第１のバリア羽根３、金属製の第２のバリア羽根４、及び金属製の第３のバリア羽根５により構成される。第２のバリア羽根４及び第３のバリア羽根５を金属製とすることで、樹脂製で形成するよりもバリア機構及びレンズ鏡筒１１０の薄型化が実現できる。ここで、第３のバリア羽根５は、本発明の被写体側バリア羽根の一例に相当し、第２のバリア羽根４は、本発明の像面側バリア羽根の一例に相当する。
【００２２】
また、第１のバリア羽根３、第２のバリア羽根４、第３のバリア羽根５、及び付勢部材６は、それぞれ第１レンズ９の光軸を中心に点対称に一対が配置される。付勢部材６は、本実施形態では、引っ張りコイルばねで構成される。第１のバリア羽根３、第２のバリア羽根４、及び第３のバリア羽根５は、光軸と直交する開閉方向に回動可能に支持され、レンズ鏡筒１１０が沈胴位置に繰り込んだ状態で閉状態となり、レンズ鏡筒１１０の撮影位置（図１）に繰り出した状態で開状態となる。
【００２３】
バリアカバー７は、レンズ鏡筒１１０の最も被写体側に配置され、バリア保持枠１に固定されて、バリア羽根３〜５を保護する。また、バリアカバー７の中央部には、第１レンズ９を介して撮像素子に入射する被写体光束を遮らないように形成された開口部７ａが設けられる。
【００２４】
図３は、バリア駆動リング２を被写体側から見た斜視図である。バリア駆動リング２は、バリア保持枠１に対して回転可能に保持される。バリア駆動リング２の外周部には、図３に示すように、光軸方向の像面側に延出して、先端部が斜面状に形成されたフォロアアーム２ａが設けられる。フォロアアーム２ａは、レンズ鏡筒１１０の沈胴時において、カム筒１０に設けられたカム壁１０ｃ（図２参照）に当接する。そして、カム筒１０が回動することで、カム壁１０ｃとフォロアアーム２ａとのカム作用により、バリア駆動リング２が回転する。
【００２５】
また、バリア駆動リング２の外周部には、光軸方向の像面側に延出する延出部２ｂが周方向に所定の間隔をあけて複数設けられる。更に、バリア駆動リング２の外周部には、付勢部材６の端部を掛止するための軸２ｃと、第１のバリア羽根３を駆動するための当接部２ｅが設けられる。
【００２６】
図４は、バリア保持枠１の斜視図である。図４に示すように、バリア保持枠１には、バリア駆動リング２に設けられたフォロアアーム２ａが貫通する円弧孔１ａ（図５参照）、及びバリア駆動リング２の摺動をガイドする延出部１ｂが設けられる。バリア駆動リング２の延出部２ｂの外周部がバリア保持枠１の内周部に設けられた延出部１ｂに沿って回転方向に摺動する。また、バリア保持枠１には、第１のバリア羽根３の基端部に設けられた回動軸が挿通される穴１ｃ、及び第３のバリア羽根５の基端部に設けられた回動穴が挿通する軸１ｅが設けられる。
【００２７】
図５（ａ）は第１のバリア羽根３の閉状態を光軸方向の被写体側から見た図、図５（ｂ）は第１のバリア羽根３の開状態を光軸方向の被写体側から見た図である。なお、図５では、第２のバリア羽根４、及び第３のバリア羽根５の図示は省略している。
【００２８】
図５を参照して、第１のバリア羽根３には、光軸方向の像面側に突出する軸３ａ（図６参照）及び光軸方向の被写体側に突出する軸３ｂが設けられる。軸３ａは、バリア保持枠１に形成された穴１ｃに挿入され、これにより、第１のバリア羽根３は、軸３ａを中心に開閉方向に回動可能に支持される。
【００２９】
また、第１のバリア羽根３の軸３ａの近傍には、突起部３ｃ及びバネ掛け部３ｄが設けられる。バネ掛け部３ｄには、付勢部材６の一方の端部が掛止され、付勢部材６の他方の端部は、バリア駆動リング２の軸２ｃに掛止される。バネ掛け部３ｄは、軸３ｂよりも光軸中心に近い位置に配置され、これにより、付勢部材６の付勢力によって、バリア駆動リング２は、図５の時計回り方向（閉方向）に付勢される。
【００３０】
また、第１のバリア羽根３の開閉方向の外周側には、開閉方向に長い長孔３ｅが形成されている。ここで、長孔３ｅの内壁のうち、閉方向側の内壁を第１の壁部３ｅ１とし、開方向側の内壁を第２の壁部３ｅ２とする。
【００３１】
次に、第１のバリア羽根３の閉位置から開位置への回動動作について説明する。第１のバリア羽根３が図５（ａ）に示す閉位置にあるとき、バリア駆動リング２のフォロアアーム２ａとカム筒１０のカム壁１０ｃとが当接状態にある。カム筒１０が回転することで、フォロアアーム２ａとカム壁１０ｃとのカム作用により、バリア駆動リング２は、図の時計回り方向に回転し、当接部２ｅが第１のバリア羽根３の突起部３ｃを回転方向に押圧する。
【００３２】
そして、第１のバリア羽根３は、バリア駆動リング２の更なる時計回り方向の回転に伴って、軸３ａを中心に図の反時計回り方向（開方向）に回動し、当接部３ｆがバリア保持枠１に設けられたストッパ１ｈに当接する。これにより、第１のバリア羽根３の開方向の回動が規制されて図５（ｂ）に示す開位置で停止する。
【００３３】
一方、第１のバリア羽根３の開位置から閉位置への移行の際には、カム筒１０が上述した場合と逆方向に回転することで、バリア駆動リング２が図の反時計回り方向に回転駆動され。このとき、バリア駆動リング２の当接部２ｅは、第１のバリア羽根３の突起部３ｃから離れようとするが、付勢部材６の付勢力によって、突起部３ｃが当接部２ｅに当接する方向へと回動する。
【００３４】
すなわち、第１のバリア羽根３は、軸３ａを中心に図の時計回り方向（閉方向）に回動して、一対の第１のバリア羽根３の開閉方向の内側の各合わせ部３ｇ同士が当接し、これにより、第１のバリア羽根３の回動が規制される。なお、バリア羽根３〜５の閉位置から開位置に回動する際の付勢部材６の付勢力を大きくするため、バリア駆動リング２は、一対の第１のバリア羽根３の各合わせ部３ｇ同士が当接した後、更に図の反時計回り方向に回転した位置で停止する（図５（ａ）参照）。
【００３５】
次に、図６乃至図１０を参照して、バリア羽根３〜５の開閉動作について説明する。
【００３６】
図６（ａ）はバリア羽根３〜５の閉状態を光軸方向の像面側から見た図、図６（ｂ）はバリア羽根３〜５の開状態を光軸方向の像面側から見た図である。図７は、図６（ａ）に示すバリア羽根３〜５の閉状態において、ユーザにより一対のバリア羽根３〜５のうちの一方のバリア羽根３〜５が手動で強制的に開位置に回動させられた状態を光軸方向の像面側から見た図である。
【００３７】
図８（ａ）、図８（ｂ）及び図８（ｃ）は、それぞれ図６（ａ）、図６（ｂ）及び図７の部分拡大図である。図９は、図８（ｃ）の斜視図である。図１０（ａ）は通常状態の第２のバリア羽根４と第３のバリア羽根５との位置関係を示す図、図１０（ｂ）は第３のバリア羽根５の光軸方向の位置がずれた場合の第２のバリア羽根４と第３のバリア羽根５との位置関係を示す図である。なお、図８乃至図１０では、第１のバリア羽根３の図示は省略している。
【００３８】
第２のバリア羽根４の基端部に形成された穴部４ｅ（図１８参照）には、第１のバリア羽根３の軸３ｂ（図５参照）が嵌合される。これにより、第２のバリア羽根４は、軸３ｂを中心にして開閉方向に回動可能に支持される。また、図６及び図７に示すように、第２のバリア羽根４には、第１のバリア羽根３の長孔３ｅに挿入されるフック形状の規制部４ａが設けられる。
【００３９】
第１のバリア羽根３が開方向に回動する際、規制部４ａに長孔３ｅの第１の壁部３ｅ１が当接し、第１のバリア羽根３が閉方向に回動する際、規制部４ａに長孔３ｅの第２の壁部３ｅ２が当接する。これにより、第２のバリア羽根４が第１のバリア羽根３に対して開閉方向に従動可能となる。また、第２のバリア羽根４には、第３のバリア羽根５を開閉方向に従動させるための切欠き部４ｂ及び当接部４ｃが設けられている。
【００４０】
第３のバリア羽根５の基端部に形成された穴５ａには、バリア保持枠１の軸１ｅが嵌合される。これにより、第３のバリア羽根５は、軸１ｅ中心に開閉方向に回動可能に支持される。また、第３のバリア羽根５の先端部には、フック部５ｃが形成されている。
【００４１】
フック部５ｃは、像面側に９０°折り曲げられた後、さらに内側に９０°折り曲げられて略コ字形状となっている。また、第３のバリア羽根５の開閉方向の外周側には、像面側に折り曲げられた折り曲げ部５ｂが形成されている。第２のバリア羽根４が開閉方向に回動する際に、第３のバリア羽根５の折り曲げ部５ｂ及びフック部５ｃに第２のバリア羽根４の当接部４ｃ及び切欠き部４ｂが開閉方向に当接する。これにより、第２のバリア羽根４に対して第３のバリア羽根５が開閉方向に従動可能となる。
【００４２】
次に、バリア羽根３〜５の閉位置から開位置への回動動作について説明する。第１のバリア羽根３が図６（ａ）に示す閉状態から図の時計回り方向（開方向）の回動を開始した後、第１のバリア羽根３の長孔３ｅの第１の壁部３ｅ１が第２のバリア羽根４の規制部４ａに当接する。さらに第１のバリア羽根３が開方向に回動すると、第１の壁部３ｅ１が規制部４ａを開方向に押すことで、第２のバリア羽根４が第１のバリア羽根３と一体に開方向に回動する。
【００４３】
第１のバリア羽根３及び第２のバリア羽根４がさらに開方向に回動すると、第２のバリア羽根４の当接部４ｃが第３のバリア羽根５の折り曲げ部５ｂと当接する。その後、当接部４ｃが折り曲げ部５ｂを開方向に押すことで、第３のバリア羽根５が第１のバリア羽根３及び第２のバリア羽根４と一体に開方向に回動する。
【００４４】
バリア羽根３〜５が開方向に回動し、第１のバリア羽根３の当接部３ｆがバリア保持枠１のストッパ１ｈに当接して回動が停止すると、従動する第２のバリア羽根４及び第３のバリア羽根５もその回動が停止する。これにより、図６（ｂ）及び図８（ｂ）に示すバリア羽根３〜５の開状態となる。
【００４５】
一方、バリア羽根３〜５の開位置から閉位置へ回動動作は、第１のバリア羽根３が図６（ｂ）に示す開状態から図の反時計回り方向（閉方向）の回動を開始した後、第１のバリア羽根３の長孔３ｅの第２の壁部３ｅ２が第２のバリア羽根４の規制部４ａと当接する。さらに第１のバリア羽根３が閉方向に回動すると、第２の壁部３ｅ２が規制部４ａを閉方向に押すことにより、第２のバリア羽根４が第１のバリア羽根３と一体に閉方向に回動する。
【００４６】
第１のバリア羽根３及び第２のバリア羽根４がさらに閉方向に回動すると、第２のバリア羽根４の切欠き部４ｂが、第３のバリア羽根５のフック部５ｃと当接する。さらに第１のバリア羽根３及び第２のバリア羽根４が閉方向に回動すると、切欠き部４ｂがフック部５ｃを閉方向に押すことで、第３のバリア羽根５が第１のバリア羽根３及び第２のバリア羽根４と一体に閉方向に回動する。
【００４７】
バリア羽根３〜５が閉方向に回動し、一対の第１のバリア羽根３の合わせ部３ｇ同士が当接して第１のバリア羽根３の回動が停止すると、従動する第２のバリア羽根４及び第３のバリア羽根５もその回動を停止する。なお、前述したように、バリア駆動リング２は、第１のバリア羽根３の回動停止位置から更に回転した位置で停止する。これにより、図６（ａ）及び図８（ａ）に示すバリア羽根３〜５の閉状態となる。
【００４８】
次に、図６（ａ）に示すバリア羽根３〜５の閉状態において、ユーザが強制的にバリア羽根３〜５を開いた場合について説明する。
【００４９】
前述したように、第１のバリア羽根３の閉状態では、一対の第１のバリア羽根３が互いに当接した後、バリア駆動リング２は、さらに閉方向に回転してから停止する。つまり、第１のバリア羽根３の閉状態では、図５（ａ）に示すように、第１のバリア羽根３の突起部３ｃは、バリア駆動リング２の当接部２ｅに当接せず、付勢部材６により閉方向に付勢されている。
【００５０】
図７に示すように、上側のバリア羽根３〜５がユーザの手等で開方向に強制的に押されると、付勢部材６の付勢力により、上側の第１のバリア羽根３が閉位置からさらに閉方向に回動しようとする。下側の第１のバリア羽根３が閉方向に回動すると、前述したように、下側の第２のバリア羽根４及び上側の第３のバリア羽根５も上側の第１のバリア羽根３に従動して一体に閉方向に回動する。
【００５１】
そして、上側のバリア羽根３〜５が所定量閉方向に回動した後、図８（ｃ）及び図９に示すように、下側の第２のバリア羽根４に設けた脱落規制部４ｄに、上側の第３のバリア羽根５に設けた脱落規制部５ｄが当接する。これにより、上側のバリア羽根３〜５の閉方向の回動が規制され、第３のバリア羽根５が開口部７ａから被写体側へ飛び出したり、第１のバリア羽根３がレンズ鏡筒１１０内へ落ち込んだりするのを防止することができる。
【００５２】
なお、本実施形態では、ユーザが強制的にバリア羽根３〜５を開いた場合を例示したが、これに限定されない。例えば、一対のバリア羽根を閉じる際に異物の挟みこみ等により片側のバリア羽根が閉じられない場合や、バリア羽根を閉じる途中で衝撃等が加わる場合等であってもよい。
【００５３】
また、本実施形態では、レンズ鏡筒１１０の薄型化のため、第２のバリア羽根４及び第３のバリア羽根５には、金属製の薄板を用いている。バリア羽根３〜５を滑らかに開閉させるためには、バリア羽根３〜５は、バリア駆動リング２及びバリアカバー７との間に光軸方向に一定の隙間を有することが望ましい。
【００５４】
一方、一定の隙間を持たせることにより、バリア羽根３〜５の光軸方向の高さが若干ずれる可能性がある。このように第２のバリア羽根４及び第３のバリア羽根５の光軸方向の高さがずれることを考慮し、本実施形態では、脱落規制部４ｄは、第２のバリア羽根４の基端側を光軸方向の被写体側に折り曲げて形成される。また、脱落規制部５ｄは、第３のバリア羽根５の先端側を光軸方向の像面側に折り曲げて形成される。
【００５５】
具体的には、脱落規制部４ｄは、第２のバリア羽根４の基端側を被写体側に略９０°の角度で折り曲げて形成される。脱落規制部５ｄは、第３のバリア羽根５の先端側を像面側に略９０°折り曲げて形成される第１の折り曲げ部５ｄ１と、第１の折り曲げ部５ｄ１の先端から内側に略９０°折り曲げて形成される第２の折り曲げ部５ｄ２と有して、略コ字状に形成される。
【００５６】
このように脱落規制部４ｄ，５ｄを形成することで、図１０に示すように、第２のバリア羽根４と第３のバリア羽根５の光軸方向の高さがずれた場合でも、脱落規制部４ｄと脱落規制部５ｄとの当接状態を維持することが可能となる。
【００５７】
次に、図１１を参照して、第２のバリア羽根４と第３のバリア羽根５の光軸方向の高さが大幅にずれた場合について説明する。図１１（ａ）は図９に示す脱落規制部５ｄに第２の折り曲げ部５ｄ２を設けていない場合の斜視図、図１１（ｂ）は脱落規制部５ｄの第１の折り曲げ部５ｄ１が脱落規制部４ｄを乗り越えた状態を示す斜視図である。
【００５８】
衝撃等で第２のバリア羽根４と第３のバリア羽根５の光軸方向の高さが大幅にずれた場合、脱落規制部５ｄの第１の折り曲げ部５ｄ１が脱落規制部４ｄを乗り越えるおそれがある。この場合、図１１（ａ）に示すように、脱落規制部５ｄに第２の折り曲げ部５ｄ２を設けていないと、図１１（ｂ）に示すように、脱落規制部４ｄ，５ｄ同士が互いに嵌り合って、ユーザが元に戻そうとしても戻せなくなる。
【００５９】
これに対し、本実施形態では、前述したように、第３のバリア羽根５の脱落規制部５ｄに第２の折り曲げ部５ｄ２を設けて脱落規制部５ｄを略コ字状にすることで、脱落規制部５ｄが脱落規制部４ｄを乗り越えた場合でも、互いに嵌り合わないようになっている。すなわち、脱落規制部５ｄが脱落規制部４ｄを乗り越えても、ユーザが手動で容易に元の状態に復帰させることができる。
【００６０】
なお、本実施形態では、第３のバリア羽根５の脱落規制部５ｄをコ字形状としているが、第２のバリア羽根４の脱落規制部４ｄをコの字形状としてもよく、また、両方の脱落規制部４ｄ，５ｄをコ字形状としてもよい。
【００６１】
また、本実施形態では、第２のバリア羽根４及び第３のバリア羽根５にそれぞれ脱落規制部４ｄ及び脱落規制部５ｄを形成した場合を例示したが、脱落規制部を形成するバリア羽根の組み合わせ、及び折り曲げ方向については特に限定されない。
【００６２】
また、本実施形態では、脱落規制部４ｄを光軸方向の被写体側に折り曲げて形成し、脱落規制部５ｄを第１の折り曲げ部５ｄ１及び第２の折り曲げ部５ｄ２で形成した場合を例示したが、これに限定されない。
【００６３】
例えば、図１２に示すように、第２のバリア羽根４の脱落規制部４ｄを、光軸方向の被写体側に折り曲げた後、第３のバリア羽根５の平面部と同一高さまで外側に折り曲げ、更に、像面側に折り曲げて形成してもよい。この場合、脱落規制部５ｄに第２の折り曲げ部５ｄ２を設けなくても、脱落規制部４ｄ，５ｄの先端が共に像面側に折り曲げられるので、脱落規制部４ｄ，５ｄ同士の乗り越えは発生しない。
【００６４】
また、図８（ｂ）に示すように、バリア羽根３〜５の開状態において、光軸中心からの距離が最も大きくなる位置は、第３のバリア羽根５の外周部５ｅとなり、バリアカバー７の内径は、第３のバリア羽根５の外周部５ｅにより決定される。図８に示すように、第２のバリア羽根４の脱落規制部４ｄ及び第３のバリア羽根５の脱落規制部５ｄの移動軌跡は第３のバリア羽根５の外周部５ｅにより決定される径の内部に収まっている。このため、第２のバリア羽根４の脱落規制部４ｄ及び第３のバリア羽根５の脱落規制部５ｄを設けることでレンズ鏡筒１１０の径が大径化することはない。
【００６５】
次に、図１３及び図１４を参照して、第３のバリア羽根５の先端側に設けられたフック部５ｃと第２のバリア羽根４の先端側に設けられた切欠き部４ｂとの関係について更に詳述する。
【００６６】
図１３（ａ）はバリア羽根３〜５の閉状態での各先端部を像面側から見た斜視図、図１３（ｂ）はバリア羽根３〜５の開状態での各先端部を像面側から見た斜視図である。図１４は、バリア羽根３〜５の開状態を光軸方向の像面側から見た図である。
【００６７】
図１３に示すように、第３のバリア羽根５の先端側に設けられるフック部５ｃは、像面側に９０°折り曲げられた当接部５ｃ１と、当接部５ｃ１からさらに内側に９０°折り曲げられた脱落規制部５ｃ２とを有して、略コ字形状に形成される。当接部５ｃ１には、前述したように、第２のバリア羽根４の切欠き部４ｂが開閉方向に当接する。第２のバリア羽根４の当接部４ｃ及び切欠き部４ｂが、それぞれ第３のバリア羽根５の折り曲げ部５ｂ及び当接部５ｃ１に当接することで、第３のバリア羽根５が第２のバリア羽根４に対して開閉方向に従動可能となる。
【００６８】
脱落規制部５ｃ２は、バリア羽根３〜５の図１３（ａ）に示す閉位置から図１３（ｂ）及び図１４に示す開位置の間において、第２のバリア羽根４の切欠き部４ｂが相対移動する範囲で切欠き部４ｂに係合して切欠き部４ｂが光軸方向像面側に移動するのを規制する。
【００６９】
この脱落規制部５ｃ２により、ユーザによる被写体側からの外力で第２のバリア羽根４を押し込んで切欠き部４ｂを変形させた後、第２のバリア羽根４を第３のバリア羽根５に対して閉方向に回動させても、切欠き部４ｂの光軸方向像面側への移動が規制される。このため、切欠き部４ｂがフック部５ｃから外れるのを防止することができる。この結果、ユーザによる被写体側からの外力に対して切欠き部４ｂがフック部５ｃから外れないように第２のバリア羽根４の厚みを増して強度を上げる必要がなくなり、レンズ鏡筒１１０の薄型化を図ることができる。
【００７０】
また、フック部５ｃの脱落規制部５ｃ２を第３のバリア羽根５の基端側の回動中心である穴５ａから離れた先端側の位置に配置することによって、被写体側からの外力による変形が最も大きい先端側の部位の変形を規制することができる。
【００７１】
更に、図１４に示すように、脱落規制部５ｃ２は、第１のバリア羽根３先端の回動半径Ｒ１より外側に配置され、図１３に示すように、第１のバリア羽根３と光軸方向で重ならないように配置される。このため、脱落規制部５ｃ２を設けてもレンズ鏡筒１１０の厚みが増すことはない。
【００７２】
以上説明したように、本実施形態では、レンズ鏡筒１１０の小径化及び薄型化を実現しつつ、第２のバリア羽根４が被写体側から外力を受けた際にも必要な強度を得ることができるので、高い信頼性を確保することができる。
【００７３】
（第２の実施形態）
次に、図１５乃至図２０を参照して、本発明の第２の実施形態であるレンズ鏡筒を備える光学機器の一例としてのデジタルカメラについて説明する。なお、上記第１の実施形態に対して重複又は相当する部分については、各図に同一符号を付して説明する。
【００７４】
図１５は、バリア羽根３〜５の閉状態を被写体側から見た斜視図である。図１６は、バリア羽根３〜５の閉状態を光軸方向の像面側から見た図である。図１７は、バリア羽根３〜５の閉状態を光軸と直交する方向から見た側面図である。
【００７５】
上記第１の実施形態では、バリア羽根３〜５の閉位置から開位置の間で第２のバリア羽根４の切欠き部４ｂが相対移動する範囲で切欠き部４ｂの光軸方向像面側への移動を規制する脱落規制部５ｃ２を、当接部５ｃ１と一体に設けてフック部５ｃを構成している。これに対し、本実施形態では、図１５乃至図１７に示すように、当接部５ｃ１と別体のフック部５ｆに脱落規制部５ｆを一体に設けて切欠き部４ｂの光軸方向像面側への移動を規制している。
【００７６】
図１８は、第２のバリア羽根４、及び第３のバリア羽根５を像面側から見た斜視図である。図１９（ａ）は第２のバリア羽根４、及び第３のバリア羽根５の閉状態を光軸方向の像面側から見た図、図１９（ｂ）は第２のバリア羽根４、及び第３のバリア羽根５の開状態を光軸方向の像面側から見た図である。図２０（ａ）はバリア羽根３〜５の閉状態を像面側から見た斜視図、図２０（ｂ）はバリア羽根３〜５の開状態を像面側から見た図である。
【００７７】
図１８乃至図２０に示すように、当接部５ｃ１には、上記第１の実施形態と同様に、第２のバリア羽根４の切欠き部４ｂが開閉方向に当接する。第２のバリア羽根４の当接部４ｃ及び切欠き部４ｂが、それぞれ第３のバリア羽根５の折り曲げ部５ｂ及び当接部５ｃ１に当接することで、第３のバリア羽根５が第２のバリア羽根４に対して開閉方向に従動可能となる。
【００７８】
第３のバリア羽根５の先端部には、フック部５ｆが当接部５ｃ１の基端側に形成されている。フック部５ｆは、像面側に略９０°折り曲げた折り曲げ部５ｆ１と、折り曲げ部５ｆ１からさらに内側に９０°折り曲げた脱落規制部５ｆ２とを有して、略コ字状に形成されている。
【００７９】
脱落規制部５ｆ２は、バリア羽根３〜５の図１９（ａ）及び図２０（ａ）に示す閉位置から図１９（ｂ）及び図２０（ｂ）に示す開位置の間において、第２のバリア羽根４の切欠き部４ｂが相対移動する範囲で切欠き部４ｂに対して光軸方向に係合する。これにより、切欠き部４ｂが光軸方向像面側に移動するのを規制する。また、脱落規制部５ｆ２は、当接部５ｃ１と別体としたことで、第３のバリア羽根５の先端側の開閉方向の外周部に設けた折り曲げ部５ｆ１に連続して設けられる。
【００８０】
この脱落規制部５ｆ２により、ユーザによる被写体側からの外力で第２のバリア羽根４を押し込んで切欠き部４ｂを変形させた後、第２のバリア羽根４を第３のバリア羽根５に対して閉方向に回動させても、切欠き部４ｂの光軸方向像面側への移動が規制される。このため、切欠き部４ｂがフック部５ｆから外れるのを防止することができる。この結果、ユーザによる被写体側からの外力に対して切欠き部４ｂがフック部５ｆから外れないように第２のバリア羽根４の厚みを増して強度を上げる必要がなくなり、レンズ鏡筒１１０の薄型化を図ることができる。
【００８１】
また、図１６に示すように、脱落規制部５ｆ２は、第１のバリア羽根３の先端部の回動半径Ｒ１より外側に配置され、図２０に示すように、第１のバリア羽根３と光軸方向で重ならないように配置される。このため、脱落規制部５ｆ２を設けてもレンズ鏡筒１１０の厚みが増すことはない。
【００８２】
更に、本実施形態では、脱落規制部５ｆ２を当接部５ｃ１と別体としているため、フック部５ｆの折り曲げ部５ｆ１の幅を当接部５ｃ１より大きくとることができ、フック部５ｆの強度を上記第１の実施形態のフック部５ｃに比べて増すことが可能となる。その他の構成、及び作用効果は、上記第１の実施形態と同様である。
【００８３】
なお、本発明の構成は、上記各実施形態に例示したものに限定されるものではなく、材質、形状、寸法、形態、数、配置箇所等は、本発明の要旨を逸脱しない範囲において適宜変更可能である。
【００８４】
例えば、上記各実施形態では、第１のバリア羽根３を樹脂製としたが、バリア機構及びレンズ鏡筒１１０の更なる薄型化のために金属で形成してもよい。
【００８５】
また、上記各実施形態では、脱落規制部５ｃ２，５ｆ２が、バリア羽根３〜５の閉位置から開位置の回動範囲の全域において、第２のバリア羽根４の切欠き部４ｂが光軸方向像面側に移動するのを規制する場合を例示したが、これに限定されない。
【００８６】
そのため本発明では、脱落規制部５ｃ２が第２のバリア羽根４の切欠き部４ｂと光軸方向に重なることによる効果の大きい範囲は、バリア羽根３〜５が閉位置から開位置に至る範囲の閉側で、バリア羽根５にバリア羽根４が重なる面積が少ない領域である。
【００８７】
この領域では、被写体側からの外力で第２のバリア羽根４が押し込まれると切欠き部４ｂが光軸方向に移動する。このため、当接部５ｃ１と光軸方向で重ならない状態が発生し、従来のバリア機構で起きていたバリア羽根の開閉途中で切欠き部がコ字状フック部から離れる現象が発生する。
【００８８】
従って、脱落規制部５ｃ２，５ｆ２は、バリア羽根３〜５の閉位置から開位置に至る回動範囲のうち、少なくとも被写体側からの外力でバリア羽根４の先端が光軸方向に移動する回動範囲でバリア羽根４の切欠き部４ｂの光軸方向像面側への移動を規制してもよい。
【００８９】
例えば、脱落規制部５ｃ２，５ｆ２は、バリア羽根３〜５の閉位置から開位置に至る回動範囲のうち、少なくとも閉位置から５０％の範囲において、第２のバリア羽根４の切欠き部４ｂの光軸方向像面側への移動を規制するようにしてもよい。
【符号の説明】
【００９０】
３  第１のバリア羽根
４  第２のバリア羽根
４ｂ  切欠き部
４ｄ  脱落規制部
５  第３のバリア羽根
５ｃ  フック部
５ｃ１  当接部
５ｃ２  脱落規制部
５ｆ  フック部
５ｆ１  折り曲げ部
５ｆ２  脱落規制部
１１０  レンズ鏡筒
【図１】
2015203838.tif 000003
【図２】
2015203838.tif 000004
【図３】
2015203838.tif 000005
【図４】
2015203838.tif 000006
【図５】
2015203838.tif 000007
【図６】
2015203838.tif 000008
【図７】
2015203838.tif 000009
【図８】
2015203838.tif 000010
【図９】
2015203838.tif 000011
【図１０】
2015203838.tif 000012
【図１１】
2015203838.tif 000013
【図１２】
2015203838.tif 000014
【図１３】
2015203838.tif 000015
【図１４】
2015203838.tif 000016
【図１５】
2015203838.tif 000017
【図１６】
2015203838.tif 000018
【図１７】
2015203838.tif 000019
【図１８】
2015203838.tif 000020
【図１９】
2015203838.tif 000021
【図２０】
2015203838.tif 000022